(57)【特許請求の範囲】
【請求項１】
引出し（１）と、該引出し（１）用の延出ガイド（２）とを含んだ構造体であって、
前記引出し（１）は、引出し箱（８）と、該引出し箱（８）に接続された前方パネル（１０）とを有しており、
前記延出ガイド（２）は、家具枠体（４）に固定される少なくとも一本の枠体レール（３）と、開位置（ОＳ）と閉位置（ＳＳ）との間で該枠体レール（３）に対して可動であり、前記延出ガイド（２）によって前記引出し（１）が固定される固定先である少なくとも一本の引出しレール（５）とを含んでおり、
解除可能なロック部材（６）がさらに含まれ、該ロック部材（６）は、ロック位置（Ｖ）において、前記枠体レール（３）に対する閉方向（ＳＲ）の前記引出しレール（５）の移動を、前記閉位置（ＳＳ）に到達する前に中間位置（ＺＳ）にて停止可能にし、解除位置（Ｌ）において、前記枠体レール（３）に対する閉方向（ＳＲ）の前記引出しレール（５）の移動を、前記閉位置（ＳＳ）に到達するまで可能にするものであり、
解除部材（７）がさらに含まれ、前記解除部材（７）は前記引出し（１）に配置されており、前記ロック部材（６）は、前記引出し（１）が、前記引出し（１）の前記引出しレール（５）への固定動作によって前記引出しレール（５）に固定されると、あるいは、前記前方パネル（１０）が、前記前方パネル（１０）の前記引出し箱（８）への取り付け動作によって前記引出しレール（５）に既に固定されている前記引出し箱（８）に取り付けられると、前記解除部材（７）によって自動的にロック解除されることを特徴とする構造体。
【請求項２】
前記引出しレール（５）の閉位置（ＳＳ）は、完全に閉じた引出し（１）に対応し、前記枠体レール（３）に対し、前記ロック部材（６）によって前記引出しレール（５）の前記中間位置（ＺＳ）は、前記閉位置（ＳＳ）の直前でロック可能であることを特徴とする請求項１記載の構造体。
【請求項３】
前記引出し箱（８）は、接続部材（９）によって前記前方パネル（１０）に接続でき、前記解除部材（７）は、前記前方パネル（１０）または前記接続部材（９）に配置されることを特徴とする請求項１または２記載の構造体。
【請求項４】
前記ロック部材（６）は、前記引出し（１）に取り付けられ、前記ロック部材（６）を前記延出ガイド（２）の制限式延出部（１１）に対して前記ロック位置（Ｖ）で接触させ、前記引出し（１）が固定された前記引出しレール（５）の前記枠体レール（３）に対する閉移動を停止させるアバットメント延出部（６１）を有することを特徴とする請求項１から３のいずれかに記載の構造体。
【請求項５】
前記ロック部材（６）は、前記ロック位置（Ｖ）と前記解除位置（Ｌ）との間で移動可能に、前記延出ガイド（２）上に配置されており、
前記ロック部材（６）を前記延出ガイド（２）の制限式延出部（１１）に対して前記ロック位置（Ｖ）で接触させ、前記引出し（１）が固定された前記引出しレール（５）の前記枠体レール（３）に対する閉移動を停止させるアバットメント延出部（６１）を有することを特徴とする請求項１から３のいずれかに記載の構造体。
【請求項６】
前記引出し（１）を前記引出しレール（５）に固定する際に、前記ロック部材（６）は、前記解除部材（７）によって前記ロック位置（Ｖ）から前記解除位置（Ｌ）へと移動されることを特徴とする請求項５記載の構造体。
【請求項７】
前記前方パネル（１０）を前記引出し箱（８）に前記接続要素（９）によって接続するとき、前記ロック部材（６）は、前記解除部材（７）によって前記ロック位置（Ｖ）から前記解除位置（Ｌ）へと移動されることを特徴とする請求項５記載の構造体。
【請求項８】
前記ロック部材（６）は、可動式に前記引出しレール（５）に取り付けられており、前記引出しレール（５）に当接するスプリング（６２）を有しており、解除すると、前記解除部材（７）が前記ロック部材（６）をそのアバットメント延出部（６１）と共に前記解除位置（Ｌ）へと前記スプリング（６２）のバネ力に対抗して移動させることを特徴とする請求項５から７のいずれかに記載の構造体。
【請求項９】
前記アバットメント延出部（６１）およびスプリング（６２）を備えたロック部材（６）は、一体型のプラスチック部材の形態であることを特徴とする請求項８に記載の構造体。
【請求項１０】
家具枠体と、請求項１から請求項９のいずれかに記載の構造体とを含んでいることを特徴とする家具。
【発明の詳細な説明】
【技術分野】
【０００１】
本発明は、引出しと、引出し用の延出ガイドとを含んだ構造体に関する。引出しは、引出し箱と、引出し箱に接続された前方パネルとを有しており、延出ガイドは、家具枠体に固定するための少なくとも一本の枠体レールと、枠体レールに対して開位置と閉位置との間で可動であり、それに対して延出ガイドと共に固定される、少なくとも一本の引出しレールとを含んでいる。
【０００２】
本発明は、さらに、解除可能なロック部材に関し、引出しレールの移動がそれによってロック位置において、枠体レールに対して閉方向へ閉位置に到達する前に中間位置で停止され、解除位置において、閉位置に到達するまで枠体レールに対して閉方向への引出しレールの移動が可能である。本発明は、さらに、家具枠体と、そのような構造体とを有する家具にも関する。
【背景技術】
【０００３】
延出ガイドの場合には、非取り付け状態の引出しレールと枠体レールとは、完全開位置から完全閉位置に相対的に可動である。家具枠体において枠体レールによってそのような延出ガイドが両側に取り付けられている場合にも同じことが言える。引出しレールが枠体レールに対して閉位置にあるときであっても（全体的に内部に存在）、延出ガイドへの引出しの取り付けまたは固定は、延出ガイドの取り付け状態で可能である。引出しを延出ガイドに挿入するとき、全体的に後部または内部に配置された引出しレールへのアクセスの困難性が問題となる。さらに悪いことには、引出しが既に挿入されていれば、前方パネルが引出し箱に十分に接近した位置へ移動する前に、引出し箱に取り付けられる前方引出し構造物の前方パネルは家具枠体に突き当たる。
【０００４】
このような構造体は、特許文献１にて既に知られており、ここでは、爪の形態のロック部材が相対的なレールの移動を抑制している。この特許では、引出しレールが開位置と閉位置との間でスムーズに往復運動できないため、ロック部材は、引出しを延出ガイドへ容易に装着させるためにのみ作用する。
【０００５】
さらに、特許文献２は、伸縮レールに取り付けられた引出しを示しており、伸縮レール間の移動はロックによって止められる。この明細書では、ロックは、手動によってのみ解除できる。引出しの取り付け部品とのロックを解除する機能的接続は存在しない。ロックは所定の位置で、特に伸縮レールが完全に引出されているとき、特に伸縮レールに取り付けられた挿入部材をロックするように作用する。
【０００６】
特許文献３は、延出ガイドのレール間の移動を止めるためのロック部材を開示している。このロック部材は、特に、停止部材が枠体レールの凹部に突き出るので、引出しが完全開位置で簡単に外れないように作用する。部材の手動作用によってのみ停止位置が解除でき、引出しは、引出しレールと共に枠体レールから離れるように持ち上げられる。
【先行技術文献】
【特許文献】
【０００７】
【特許文献１】オーストリア国特許第３８４５３５号明細書
【特許文献２】ドイツ国特許出願公開第３３２６４００号明細書
【特許文献３】米国特許第４２７４６８９号明細書
【発明の概要】
【発明が解決しようとする課題】
【０００８】
従って本発明の目的は、引出しの延出ガイドへの取り付け、または引出し箱への前方パネルの装着を容易にすることである。特に本発明は、延出ガイドの取り付け状態において、引出しまたは引出し箱への前方パネルの取り付けが問題なくできるよう、引出しレールに容易に到達させることを目的としている。
【課題を解決するための手段】
【０００９】
この目的は、請求項１の解除部材によって達成される。ここでは、引出しが引出しレールに固定されるとき、または前方パネルが、引出しレールに既に固定されている引出し箱に取り付けられるときのいずれかに、ロック部材が解除部材によって自動的にロック解除される。このようにすれば、引出しが引出しレールに取り付けられるとき、または前方パネルが箱に取り付けられるときのみに、引出しレールと枠体レールとの間の移動停止の自動的解除が実行される。
【００１０】
原則的に、請求項１の特徴部の互換性のある特徴を説明するため、引出しの組立て時と引出しの延出ガイドへの取り付け時に２つの変形例が関与する。
【００１１】
したがって第１の変形例は、完全な４面引出し（後壁、２つの側壁および前方パネル）が既に固定式におよび最終的に組み立てられており、組立てられた引出しは、その後引出しレールに取り付けられる。取り付け作業で、引出しレールと枠体レールとの間の移動の停止は、引出しレールが完全閉位置に移動できるように、その後適切に解除される。
【００１２】
第２の変形例によれば、引出しは、延出ガイドに一体的に接続されていない。言い換えれば、当初の３面引出し（後壁および２つの側壁）を“前向き”引出しレールに固定できる。この場合、引出しレールと枠体レールとの間の動作制止は、まだ解除されていない。すでに引出しレールに取り付けられた部分の引出しの残り部分への前方パネルの取り付けによって、解除部材によってロック部材の解除が実行され、引出しは閉位置に移動できる。
【００１３】
解除前には引出しレールは、枠体レール上を開位置と閉位置との間で妨害されずに往復運動できず、完全自由に動くことを妨害されて所定の位置で停止する。すなわち引出し箱の挿入時、または前方パネルの取り付け時に、引出しレールは、アバットメントまで完全に後方には移動できず、アクセスが容易に得られる中間位置のさらに手前で停止し、よって引出しまたは前方パネルは、それぞれ問題なく所定の位置に固定される。
【００１４】
家具枠体に延出ガイドが取り付けられるとき、どのような種類の引出しが取り付けられているかを予測することはしばしば不可能である。特に、引出しがどのような種類の前方パネルを有するか分からないとき、使用時には可能である枠体レールに対する引出しレールの最大閉位置はまだ分からない。さらに、前方パネルが前方引出し構造体の形態である場合、前方引出し構造体の前方パネルが既に前もって家具枠体に接するので、作動状態の引出しレールは、いずれにしろ完全閉位置にはなれない。しかしながら、前方パネルが内部引出し構造で使用するものなら、引出しレールは、枠体レールに対して完全に閉位置へ移動できる。前方パネルを引出し箱に取り付けるとき、引出しレールが枠体レールと共に完全に閉位置にあれば、前方パネルは、家具枠体内で既に離れすぎているため、いずれにしろ引出しまたは引出しレールに取り付けできない。このため、本発明の好適実施態様では、引出しレールの閉位置は、完全に閉じた引出しに対応し、ロック部材によって枠体レールに対してロック可能な引出しレールの位置は、閉位置の直前、好適には１ｍｍおよび２０ｍｍ手前である。
【００１５】
別な好適実施態様では、解除部材は、引出しに配置できる。
【００１６】
前述のように、引出しは、引出し箱と、接続部材によって引出し箱に接続できる前方パネルとを有しており、特に好適な実施態様によれば、解除部材は、前方パネルか、または接続部材に配置できる。この方法で、既に引出しレールに固定されている引出し箱に前方パネルを取り付けるときのみ、ロック作用が解除され、その後にのみ引出しレールが前もってロックされた中間位置から閉位置に移動できる。このように、家具枠体にその場にすでに取り付けられている延出ガイドへの前方パネルの取り付けは、前方パネルのタイプとは無関係に常に可能である。取り付け作業によってのみ、ロック作用は解除される。
【００１７】
ロック部材が、延出ガイド上で、ロック位置と解除位置との間で可動であり、好適にはその引出しレール上で可動であり、アバットメント延出部を有しており、それによってロック部材が、好適には枠体レール上で延出ガイドの制限された延出に対抗してロック位置で接し、枠体レールに対する引出しレールの閉動作を停止させることが望ましい。この制限式延出は、家具枠体自体に提供できること、または、例えば引出し箱と枠体レールとの間でロック部材が作用することが問題外であることはない。この点で、例えば前方パネル無しで引出しレールに取り付けられた引出し箱は、いずれにしろロック部材のために完全閉位置になれない。ロック作用が除去できるのは、前方パネルが取り付けられた後だけである。
【００１８】
一般的に、本発明の２つの代替的実施態様が提供でき、それによれば、引出しを引出しレールに固定し、それをロック位置から解除位置に移動させるときに解除部材がロック部材に接するか、または前方パネルを引出し箱に接続部材によって接続し、それをロック位置から解除位置に移動させるときに解除部材がロック部材に接する。いずれにしろ第２の変形例が好適である。
【００１９】
さらに好適な変形例では、ロック部材は、引出しレールに旋回式に取り付けられており、引出しレールに作用するスプリング、好適にはレッグスプリングを有し、解除すると、解除部材がスプリングのバネ力に対抗して、ロック部材を、そのアバットメント延出部と共に解除位置に旋回させる。
【００２０】
アバットメント延出部とスプリングとを備えたロック部材が、一体型射出成型製造のプラスチック部材の形態である場合には、構造が非常に単純化され、延出ガイドへの取り付けも比較的に簡単に実行できる。
【００２１】
家具枠体と請求項１から９のいずれかに記載の構造体を含んだ家具にも保護が請求されている。
【００２２】
本発明のさらなる詳細および利点は、図面において説明される実施例に関する詳細な説明によって解説される。
【図面の簡単な説明】
【００２３】
【図１】図１は、延出ガイドと引出しとを備えた家具の概略図である。
【図１ａ】図１ａは、内部引出し構造を上方から概略的に示したものである。
【図１ｂ】図１ｂは、前方引出し構造を上方から概略的に示したものである。
【図２】図２は、延出ガイドに引出しを取り付ける際の手順を示したものである。
【図３】図３は、延出ガイドに引出しを取り付ける際の手順を示したものである。
【図４】図４は、延出ガイドに引出しを取り付ける際の手順を示したものである。
【図５】図５は、延出ガイドに引出しを取り付ける際の手順を示したものである。
【図６】図６は、引出しと延出ガイドの部材の分解図である。
【図７】図７は、延出ガイドを示したものである。
【図８】図８は、相対的なレール位置とロック部材のそれぞれの位置を概略的に示したものである。
【図９】図９は、相対的なレール位置とロック部材のそれぞれの位置を概略的に示したものである。
【図１０】図１０は、相対的なレール位置とロック部材のそれぞれの位置を概略的に示したものである。
【図１１】図１１は、相対的なレール位置とロック部材のそれぞれの位置を概略的に示したものである。
【図１２】図１２は、相対的なレール位置とロック部材のそれぞれの位置を概略的に示したものである。
【図１３】図１３は、ロック部材の領域内の延出ガイドの立体図および側面図である。
【図１４】図１４は、ロック部材の領域内の延出ガイドの立体図および側面図である。
【図１５】図１５は、ロック部材の領域内の延出ガイドの立体図および側面図である。
【図１６】図１６は、ロック部材の別の実施例を示している。
【図１７】図１７は、ロック部材の別の実施例を示している。
【図１８】図１８は、ロック部材の別の実施例を示している。
【図１９】図１９は、ロック部材の別の実施例を示している。
【発明を実施するための形態】
【００２４】
図１は、家具２０を図示しており、延出ガイド２は、家具枠体４の上方領域に取り付けられている。この延出ガイド２の枠体レール３は、家具枠体４に取り付けられている。引出しレール５は、枠体レール３に移動式に取り付けられており、延出ガイド２は、ここでは閉位置ＳＳに存在する。家具枠体内に移動しすぎており、前方パネル１０と引出し箱８との間の距離が非常に長いので、引出しレール５に固定された引出し箱８への前方パネル１０の取り付けはもはや不可能である。これは特に、内部引出し構造体Ｉを図示する図１ａにおいて示されている。この場合、引出し箱８および引出しレール５は、すでに家具枠体４の完全閉位置ＳＳにある。前方パネル１０（図１ｂに示す）は、閉位置ＳＳに到達する前に、既に家具枠体４に接しているので、前方引出し構造体Ｆのための前方パネル１０の取り付けは、ＳＳの位置ではもはや不可能である。
【００２５】
この点で、図２は、開位置ＯＳにて延出ガイド２の部材が相対的にどのように配置されているかを示している。ロック部材６は、引出しレール５上に配置されている。制限式延出部１１は、枠体レール３上に配置されている。ロック部材６は、ロック位置Ｖに示されている。
【００２６】
図３は、枠体レール３に対する中間位置ＺＳにある引出しレール５を示しており、ここでは、ロック部材６は、制限式延出部１１に接しており、閉方向ＳＲへのさらなる移動を阻止する。この位置ＺＳで、引出し挿入部８、前方パネル１０、およびこれらの間に配置されている接続要素９を含んだ引出し１は、前方パネルタイプＦまたはＩとは無関係に引出しレール５に固定される。
【００２７】
図４に示すように、引出し１が引出しレール５に固定されており、接続部材９の解除部材７がロック部材６を解除位置Ｌに移動させている場合には、、閉位置ＳＳに到達するまで、閉方向ＳＲの完全な移動が継続可能である（図５）。延出ガイド２への引出し１のロックは、知られたラッチまたは固定装置によって可能である。
【００２８】
図６は、木などで成る引出しフレーム構造体１２と引出し底部１３とを実質的に含んだ引出し箱８の部材を示している。引出しフレーム構造体１２の側壁の端部領域には、そこに前方パネル１０が接続部材９によって固定される受領開口部１４が提供されている。接続部材９は、前方パネル１０に固定延出部１５（例えばくぎ）によって固定される。さらに図６は、そこにロック部材６が、例えば取り付け挿入具１６によって取り付けられる延出ガイド２を示している。
【００２９】
図７は、引出しレール５と、枠体レール３と、引出しレール５に取り付けられた取り付け挿入部１６とを含んだ組立後の延出ガイド２を示している。延出ガイド２のそれぞれの設計に応じて、第３のレール（中央レール１７）も存在できる。
【００３０】
枠体レール３に対する引出しレール５の位置は、図８、９および１０で概略的に上側に示されている。閉方向ＳＲは、左向きであり、閉方向ＳＲは、ロック領域のそれぞれの下方図では、右向きである。
【００３１】
図８は、中間位置ＺＳにある、枠体レール３に対する引出しレール５の上方での位置を概略的に示しており、ロック部材６は、下方の図で示すようにロック位置Ｖにある。この場合、ロック部材６のアバットメント延出部６１は、枠体レール３の制限式延出部１１に接する。
【００３２】
図９で示すように、引出し箱８は、その後に中間位置ＺＳの引出しレール５に固定される。
【００３３】
図１０では、前方パネル１０は、引出し箱８に取り付けられている。取り付けは、引出し箱８の端部と家具枠体４との間の中間位置ＺＳのスペースＡによって行なわれる。引出しレール５が既に完全に閉位置ＳＳにあるなら、前方パネル１０は、引出し箱８に到達する前に、既に家具枠体４に接しているであろう。この図の下方部分から理解できるように、前方パネル１０またはその接続部材９の引出し箱８への接続は、解除部材７をロック部材６に対して移動させ、それによってロック部材が回転軸ポイントＤ周囲で、引出しレール５に押し付けられたスプリング６２の力に対抗して回転し、それによってアバットメント延出部６１は、もはや制限式延出部１１に接触することができず、ロック部材６は、よって中間位置ＺＳの解除位置Ｌに移動することで、引出しレール５全体（図１２）が閉位置ＳＳの方向に移動することができる。
【００３４】
図１１では、引出しレール５と枠体レール３との間の閉位置には明らかに到達していないが、いずれにしろ家具枠体４に接する前方パネル１０のおかげで引出し１のための端部位置が既に存在する。この場合、引出し箱８の端部と家具枠体４の前側は、実質的に同じ垂直面にある（スペースＡは最小限である）。
【００３５】
一方、図１２は、前方引出し構造体Ｆの前方パネル１０でなく、引出し１の引出し箱８に取り付けられた内部引出し構造体の前方パネル１８である場合を示している。この場合、解除部材７は、内部引出し構造体Ｉの前方パネル１８に同じ状態で提供できる。
【００３６】
図１３から図１５は、延出ガイド２の領域の立体図と側面図を再び示しており、ロック部材６は、制限式延出部１１（図１３）に接するか、または解除部材７によってロック解除が実行されており（図１４）、ロック解除後に閉位置ＳＳに到達される（図１５）。
【００３７】
図１６は、引出し箱８と前方パネル１０とを含んだ引出し１の側面図である。引出し箱８は、それによって引出し１が延出ガイド２の引出しレール５に固定される引出しフレーム構造体１２を有している。ロック部材６は、ピン形態の回転軸ポイントＤによって引出しフレーム構造体１２に固定されており、ロック位置Ｖでは、枠体レール３と、その制限式延出部１１に対抗してアバットメント延出部６１によって形成される端部に接する。このように、引出しレール５とそこに固定された引出し１は、スペースＡによって閉位置ＳＳから除かれ、閉方向ＳＲへの引出し１のさらなる移動は止められる。ロック位置Ｖは、このようにしてロック部材６によって決定される。
【００３８】
一方、図１７は、前方パネル１０によって達成される解除位置Ｌを示す。そこに固定される接続部材９（前方取付部２１の前方パネル側部材を形成する）は、引出しフレーム構造体１２（さらに詳細には、前方取付部２１の箱側部材２４）に取り付けられている。この場合、接続部材９の延出部によって形成される解除部材７は、ロック部材６の端部に接し、ロック部材６は、回転軸ポイントＤ周囲でスプリング２３の力に対抗して回転し、ロック部材６１の他端（アバットメント延出部６１）は、枠体レール３の制限式延出部１１から解放される。このようにして、スペースＡが最小となり、引出しレール３または引出し１は閉位置ＳＳへ移動できる。
【００３９】
詳細図ＥとＦを有する図１８と図１９は、それぞれロック位置Ｖと解除位置Ｌの前方取付部２１だけをそれぞれ斜視図で示している。
【図１】
0005905396.tif 000002
【図１ａ】
0005905396.tif 000003
【図１ｂ】
0005905396.tif 000004
【図２】
0005905396.tif 000005
【図３】
0005905396.tif 000006
【図４】
0005905396.tif 000007
【図５】
0005905396.tif 000008
【図６】
0005905396.tif 000009
【図７】
0005905396.tif 000010
【図８】
0005905396.tif 000011
【図９】
0005905396.tif 000012
【図１０】
0005905396.tif 000013
【図１１】
0005905396.tif 000014
【図１２】
0005905396.tif 000015
【図１３】
0005905396.tif 000016
【図１４】
0005905396.tif 000017
【図１５】
0005905396.tif 000018
【図１６】
0005905396.tif 000019
【図１７】
0005905396.tif 000020
【図１８】
0005905396.tif 000021
【図１９】
0005905396.tif 000022